(57)【要約】【課題】カードの使用者切替作業の管理者への集中を緩和すること。【解決手段】ユーザが有するカードからカード識別情報を読み取る打刻部と制御部を有する。制御部は、カード識別情報と打刻情報との対応関係を切り替え可能に設定された切替期間中に、打刻部によりカード識別情報が読み取られた際に、表示部にカード識別情報と打刻情報との対応関係の切り替えの要否を選択させる切替要否選択画面を表示させる。また、切替要を選択するユーザ操作が受け付けられた場合に、打刻部に前記対応関係を切り替えた新たな打刻情報を生成させる。【選択図】図９
2019101852.tif 000002
【特許請求の範囲】
【請求項１】
表示部と、
ユーザが有するカードからカード識別情報を読み取り、当該カード識別情報と対応付けた打刻情報を生成する打刻部と、
前記カード識別情報と前記打刻情報との対応関係を切り替え可能に設定された切替期間中に、前記打刻部により前記カード識別情報が読み取られた際に、前記表示部に前記カード識別情報と前記打刻情報との対応関係の切り替えの要否を選択させる切替要否選択画面を表示させ、切替要を選択するユーザ操作が受け付けられた場合に、前記打刻部に前記対応関係を切り替えた新たな打刻情報を生成させる制御部
を具備する
タイムレコーダ。
【請求項２】
請求項１に記載のタイムレコーダであって、
前記制御部は、前記ユーザによる打刻操作を可能とする通常モードと、管理者にのみ操作を可能とする管理者モードとを切り替えて実行可能であり、当該管理者モードにおいて、前記切替期間の設定操作を受け付ける
タイムレコーダ。
【請求項３】
請求項１又は２に記載のタイムレコーダであって、さらに、
前記カード識別情報と対応付けられた前記打刻情報及び前記カード識別情報と対応付けられたユーザ識別情報に関する情報の対応管理情報を記憶する記憶部を具備し、
前記制御部は、前記切替要を選択するユーザ操作が受け付けられた場合に、前記記憶部の前記打刻情報及び前記対応管理情報を消去する
タイムレコーダ。
【請求項４】
請求項１から３のいずれかに記載のタイムレコーダであって、
前記制御部は、前記切替要を選択するユーザ操作が受け付けられた場合に、前記表示部を介して前記ユーザの愛称の入力を受け付けて当該愛称を前記カード識別情報に対応付け、
前記表示部は、前記打刻部により前記カード識別情報が読み取られた際に、読み取った前記カード識別情報に対応する愛称を表示する
タイムレコーダ。
【請求項５】
請求項１から４のいずれかに記載のタイムレコーダであって、さらに、
前記カード識別情報とユーザ識別情報とを対応付けて記憶する管理装置と通信可能な通信部を具備し、
前記制御部は、
前記切替要を選択するユーザ操作が受け付けられた場合に、前記カード識別情報を前記通信部を介して前記管理装置に送信し、
前記管理装置から前記カード識別情報に対応するユーザ識別情報を前記通信部を介して受信し、
前記打刻部により前記カード識別情報が再度読み取られた際に、当該カード識別情報に対応する前記ユーザ識別情報の正誤をユーザに確認するユーザ識別情報確認画面を前記表示部に表示させる
タイムレコーダ。
【請求項６】
請求項５に記載のタイムレコーダであって、
前記管理装置は、他のタイムレコーダと通信可能であり、前記他のタイムレコーダから前記切り替要を選択するユーザ操作に基づいて前記カード識別情報を受信した場合に、前記タイムレコーダへ当該カード識別情報の受信を示す情報を送信し、
前記制御部は、前記他のタイムレコーダからの前記カード識別情報の受信を示す情報を前記管理装置から前記通信部を介して受信した後、前記打刻部により前記カード識別情報が読み取られた場合に、前記切替要否選択画面の表示を抑制し、前記打刻部に前記対応関係を切り替えた新たな打刻情報を生成させる
タイムレコーダ。
【請求項７】
１以上のタイムレコーダと管理装置を含むタイムレコーダシステムであって、
前記タイムレコーダは、
表示部と、
通信部と、
ユーザが有するカードからカード識別情報を読み取り、当該カード識別情報と対応付けた打刻情報を生成する打刻部と、
前記カード識別情報と前記打刻情報との対応関係を切り替え可能に設定された切替期間中に、前記打刻部により前記カード識別情報が読み取られた際に、前記表示部に前記カード識別情報と前記打刻情報との対応関係の切り替えの要否を選択させる切替要否選択画面を表示させ、切替要を選択するユーザ操作が受け付けられた場合に、前記打刻部に前記対応関係を切り替えた新たな打刻情報を生成させるとともに前記カード識別情報を前記通信部を介して前記管理装置に送信する制御部を具備し、
前記管理装置は、
前記カード識別情報を受信した場合に、受信した前記カード識別情報に対応するユーザ識別情報を前記タイムレコーダに送信し、
前記タイムレコーダの前記制御部は、
前記打刻部により前記カード識別情報が再度読み取られた際に、当該カード識別情報に対応する前記ユーザ識別情報の正誤をユーザに確認するユーザ識別情報確認画面を前記表示部に表示させる
タイムレコーダシステム。
【請求項８】
ユーザが有するカードからカード識別情報を読み取り、
前記カード識別情報と打刻情報との対応関係を切り替え可能に設定された切替期間中であるか否かを判断し、
前記切替期間中である場合に、前記カード識別情報と前記打刻情報との対応関係の切り替えの要否を選択させる切替要否選択画面を表示し、
前記切替要否選択画面に基づいて切替要を選択するユーザ操作を受け付け、
前記ユーザ操作に基づいて、読み取った前記カード識別情報との対応関係を切り替えた新たな打刻情報を生成する
情報処理方法。
【請求項９】
タイムレコーダに、
ユーザが有するカードからカード識別情報を読み取る処理と、
前記カード識別情報と打刻情報との対応関係を切り替え可能に設定された切替期間中であるか否かを判断する処理と、
前記切替期間中である場合に、前記カード識別情報と前記打刻情報との対応関係の切り替えの要否を選択させる切替要否選択画面を表示させる処理と、
前記切替要否選択画面に基づいて切替要を選択するユーザ操作を受け付ける処理と、
前記ユーザ操作に基づいて、読み取った前記カード識別情報との対応関係を切り替えた新たな打刻情報を生成する処理
を実行させる
プログラム。
【発明の詳細な説明】
【技術分野】
【０００１】
本技術は、タイムレコーダ、タイムレコーダシステム、情報処理方法及びプログラムに係り、カードの使用者を切り替える作業を効率化する技術に関する。
【背景技術】
【０００２】
近年、労働条件の適正化や長時間労働の抑制は、規模を問わず、企業にとって喫緊の課題となりつつある。この課題に対し、比較的小規模の事業所や店舗向けに、小型軽量で設置場所を選ばないＩＣ（Integrated Circuit）カード方式の多機能タイムレコーダが提案されている。また、そのようなタイムレコーダ、そのための打刻用ＩＣカード（タイムカード）、勤怠管理用ソフトウェアプログラムなどをパッケージ化したタイムレコーダシステムも提案されている（例えば、特許文献１、特許文献２参照）。
【０００３】
特許文献１には、就業者の出退勤に関する打刻情報を記録及び管理する就業管理装置及び就業管理システムが記載されている。特許文献１の就業管理システムは、就業管理サーバと就業管理装置（タイムレコーダ）を含み、就業管理装置が記録した打刻情報を管理者が就業管理サーバで確認できるようにしている。
【０００４】
特許文献２には、月初めに新たなタイムカードが発行されるたびに、オペレータによる、タイムカードナンバーと個人情報とをリンクさせる作業が必要となることに鑑みて、その作業負担を軽減することを目的とする発明が開示されている。
【先行技術文献】
【特許文献】
【０００５】
【特許文献１】特許第６２１９１５１号公報
【特許文献２】特開２０１６−０８１１３７号公報
【発明の概要】
【発明が解決しようとする課題】
【０００６】
上記タイムレコーダシステムにおいて、異動や退職等で使用されなくなった打刻用のＩＣカードは、使用者の切替作業を行うことで再利用されることがある。ＩＣカード使用者の切替作業は、例えば、管理者が管理ＰＣ（Personal Computer）から勤怠管理用ソフトでＩＣカードと使用者の紐付けを切り替える処理を行い、その結果を各タイムレコーダへ反映する必要がある。しかし、切り替え作業が特定の時期（例えば、４月と９月）に集中することがあり、管理者にとって負担となっていた。
【０００７】
特許文献１、特許文献２のような従来技術は、就業管理システムやタイムカードナンバーと個人情報とのリンク作業負担の軽減について開示しているものの、上述のような切替作業における管理者の業務の負担については、なんら考慮されていない。
【０００８】
本発明は上述のような実情に鑑みてなされたものであって、カードの使用者切替作業の管理者への集中を緩和することを目的とする。
【課題を解決するための手段】
【０００９】
上記目的を達成する本発明の一態様は、表示部と打刻部と制御部を具備するタイムレコーダである。
上記打刻部は、ユーザが有するカードからカード識別情報を読み取り、当該カード識別情報と対応付けた打刻情報を生成する。
上記制御部は、上記カード識別情報と上記打刻情報との対応関係を切り替え可能に設定された切替期間中に、上記打刻部により上記カード識別情報が読み取られた際に、上記表示部に上記カード識別情報と上記打刻情報との対応関係の切り替えの要否を選択させる切替要否選択画面を表示させ、切替要を選択するユーザ操作が受け付けられた場合に、上記打刻部に上記対応関係を切り替えた新たな打刻情報を生成させる。
【００１０】
上記タイムレコーダによれば、打刻情報生成時に、ユーザに切替要否選択画面を提示し、ユーザ自身に要否を判断させ、切替要と判断された場合は新たな打刻情報を生成することができ、カードの使用者の切替作業の少なくとも一部をユーザ自身にしてもらうことによって、作業の管理者への集中を緩和することができる。ここでカード識別情報とは、典型的には英数字及び／又は記号からなるカードＩＤであるが、文字列等であっても構わない。
【００１１】
上記タイムレコーダにおいて、
上記制御部は、上記ユーザによる打刻操作を可能とする通常モードと、管理者にのみ操作を可能とする管理者モードとを切り替えて実行可能であり、当該管理者モードにおいて、上記切替期間の設定操作を受け付けてもよい。
【００１２】
上記タイムレコーダによれば、対応関係の切替期間中に打刻操作を行う場合に限り、上記切替要否選択画面を表示できるようになる。また、管理者モードを有することにより、その切替期間の設定を管理者の任意の期間に設定できるようになる。
【００１３】
上記タイムレコーダは、さらに、
上記カード識別情報と対応付けられた上記打刻情報及び上記カード識別情報と対応付けられたユーザ識別情報に関する情報の対応管理情報を記憶する記憶部を具備してもよい。
この場合、上記制御部は、上記切替要を選択するユーザ操作が受け付けられた場合に、上記記憶部の上記打刻情報及び上記対応管理情報を消去してもよい。
【００１４】
上記タイムレコーダによれば、切替要を選択するユーザ操作により、タイムレコーダ内の前ユーザの打刻情報及び対応管理情報が消去されるため、前ユーザと現ユーザの打刻情報の混在を防ぐことができる。
【００１５】
上記タイムレコーダにおいて、
上記制御部は、上記切替要を選択するユーザ操作が受け付けられた場合に、上記表示部を介して上記ユーザの愛称の入力を受け付けて当該愛称を上記カード識別情報に対応付けてもよい。
この場合、上記表示部は、上記打刻部により上記カード識別情報が読み取られた際に、読み取った上記カード識別情報に対応する愛称を表示してもよい。
【００１６】
上記タイムレコーダによれば、ユーザの愛称をタイムレコーダに設定できるため、表示画面等にはユーザが設定した愛称を表示させることができ、昨今の個人情報保護を重視する社会情勢に配慮することができる。
【００１７】
上記タイムレコーダは、さらに、
上記カード識別情報とユーザ識別情報とを対応付けて記憶する管理装置と通信可能な通信部を具備してもよい。
この場合、上記制御部は、上記切替要を選択するユーザ操作が受け付けられた場合に、上記カード識別情報を上記通信部を介して上記管理装置に送信し、上記管理装置から上記カード識別情報に対応するユーザ識別情報を上記通信部を介して受信し、上記打刻部により上記カード識別情報が再度読み取られた際に、当該カード識別情報に対応する上記ユーザ識別情報の正誤をユーザに確認するユーザ識別情報確認画面を上記表示部に表示させてもよい。
【００１８】
上記タイムレコーダによれば、管理装置から送信されたユーザ識別情報の正誤をユーザが確認可能になるため、重要な情報を管理者と利用者の双方で確認を行うことにより運用ミスが防げるようになる。ここでユーザ識別情報とは、典型的には英数字及び／又は記号からなるユーザＩＤであるが、例えばユーザの氏名等の文字列であっても構わない。
【００１９】
上記タイムレコーダにおいて、
上記管理装置は、他のタイムレコーダと通信可能であり、上記他のタイムレコーダから上記切り替要を選択するユーザ操作に基づいて上記カード識別情報を受信した場合に、上記タイムレコーダへ当該カード識別情報の受信を示す情報を送信してもよい。
この場合上記制御部は、上記他のタイムレコーダからの上記カード識別情報の受信を示す情報を上記管理装置から上記通信部を介して受信した後、上記打刻部により上記カード識別情報が読み取られた場合に、上記切替要否選択画面の表示を抑制し、上記打刻部に上記対応関係を切り替えた新たな打刻情報を生成させてもよい。
【００２０】
上記タイムレコーダによれば、一度、切替要否選択画面が表示され、要否選択がなされた後は、管理装置配下の複数のタイムレコーダ間で、切替情報が同期されるので、あるタイムレコーダで切替要否選択画面が表示された後にユーザが別のタイムレコーダで打刻した際に再度切替要否選択画面が表示されてしまいユーザが煩わしさを感じるのを防ぐことができ、利便性が向上する。
【００２１】
本発明の別の一態様は、１以上のタイムレコーダと管理装置を含むタイムレコーダシステムである。
上記タイムレコーダは、表示部と、通信部と、打刻部と、制御部を具備する。
上記打刻部は、ユーザが有するカードからカード識別情報を読み取り、当該カード識別情報と対応付けた打刻情報を生成する。
上記制御部は、上記カード識別情報と上記打刻情報との対応関係を切り替え可能に設定された切替期間中に、上記打刻部により上記カード識別情報が読み取られた際に、上記表示部に上記カード識別情報と上記打刻情報との対応関係の切り替えの要否を選択させる切替要否選択画面を表示させ、切替要を選択するユーザ操作が受け付けられた場合に、上記打刻部に上記対応関係を切り替えた新たな打刻情報を生成させるとともに上記カード識別情報を上記通信部を介して上記管理装置に送信する。
上記管理装置は、上記カード識別情報を受信した場合に、受信した上記カード識別情報に対応するユーザ識別情報を上記タイムレコーダに送信する。
この場合、上記タイムレコーダの上記制御部は、上記打刻部により上記カード識別情報が再度読み取られた際に、当該カード識別情報に対応する上記ユーザ識別情報の正誤をユーザに確認するユーザ識別情報確認画面を上記表示部に表示させる。
【００２２】
上記タイムレコーダシステムによれば、
打刻情報生成時に、ユーザに切替要否選択画面を提示し、ユーザ自身に要否を判断させ、切替要と判断された場合は新たな打刻情報を生成することができ、カードの使用者の切替作業の少なくとも一部をユーザ自身にしてもらうことによって、作業の管理者への集中を緩和することができる。
さらに、管理装置から送信されたユーザ識別情報の正誤をユーザが確認可能になるため、重要な情報を管理者と利用者の双方で確認を行うことにより運用ミスが防げるようになる。
【００２３】
本発明の別の一態様は、
ユーザが有するカードからカード識別情報を読み取り、
上記カード識別情報と打刻情報との対応関係を切り替え可能に設定された切替期間中であるか否かを判断し、
上記切替期間中である場合に、上記カード識別情報と上記打刻情報との対応関係の切り替えの要否を選択させる切替要否選択画面を表示し、
上記切替要否選択画面に基づいて切替要を選択するユーザ操作を受け付け、
上記ユーザ操作に基づいて、読み取った上記カード識別情報との対応関係を切り替えた新たな打刻情報を生成する
情報処理方法である。
【００２４】
本発明の別の一態様は、
タイムレコーダに、
ユーザが有するカードからカード識別情報を読み取る処理と、
上記カード識別情報と打刻情報との対応関係を切り替え可能に設定された切替期間中であるか否かを判断する処理と、
上記切替期間中である場合に、上記カード識別情報と上記打刻情報との対応関係の切り替えの要否を選択させる切替要否選択画面を表示させる処理と、
上記切替要否選択画面に基づいて切替要を選択するユーザ操作を受け付ける処理と、
上記ユーザ操作に基づいて、読み取った上記カード識別情報との対応関係を切り替えた新たな打刻情報を生成する処理
を実行させる
プログラムである。
【発明の効果】
【００２５】
本発明によれば、カードの使用者切替作業の管理者への集中を緩和することができる。
【図面の簡単な説明】
【００２６】
【図１】本発明の実施形態に係るタイムレコーダシステムの構成例を示す概略図である。
【図２】上記実施形態に係る管理装置の内部構成を示すブロック図である。
【図３】上記実施形態に係るタイムレコーダ及びタイムカードの外観を示す図である。
【図４】上記タイムレコーダの内部構成を示すブロック図である。
【図５】上記タイムレコーダに記憶されているマスタ情報の構成例１である。
【図６】上記タイムレコーダの通常モードにおけるタッチパネルの表示例である。
【図７】上記タイムレコーダの管理者モードにおけるタッチパネルの表示例１である。
【図８】上記タイムレコーダの管理者モードにおけるタッチパネルの表示例２である。
【図９】上記タイムレコーダの情報処理を示すフローチャートである。
【図１０】上記タイムレコーダにおける打刻操作時のタッチパネルの表示例１である。
【図１１】上記タイムレコーダシステムにおける個人識別情報の確認処理を示すフローチャートである。
【図１２】上記タイムレコーダに記憶されているマスタ情報の構成例２である。
【図１３】上記タイムレコーダにおける打刻操作時のタッチパネルの表示例２である。
【発明を実施するための形態】
【００２７】
以下、図面を参照しながら、本発明の一実施形態を説明する。
【００２８】
［タイムレコーダシステム］
図１は、本実施形態に係るタイムレコーダシステムの構成例を示す概略図である。図１に示すように、タイムレコーダシステム１は、管理装置５０と、１以上のタイムレコーダ１０とを有する。
【００２９】
管理装置５０は、企業等に所属する複数の従業員の各々の出退勤等を管理するための端末であり、人事部等の所定の担当者（管理者）により操作される。管理装置５０としては、典型的には、パーソナルコンピュータ等が用いられる。
【００３０】
１以上のタイムレコーダ１０は、例えば、企業の事業所ごと、部署ごと、店舗ごとに配置される。各事業所の従業員等（ユーザ）は、配置されたタイムレコーダ１０にタイムカード３０をかざして、出勤や退勤等の時間をタイムレコーダ１０に打刻させる。以下、このタイムカード３０をかざす操作を「打刻操作」と称する。
【００３１】
タイムレコーダ１０は、ユーザの打刻操作に応じて、タイムカード３０ごとに固有に設定されたカード識別情報３１１ごとに打刻情報１２３を蓄積する。蓄積された打刻情報１２３は、定期的に、例えば月ごとに、タイムレコーダ１０から管理装置５０に送られる。
【００３２】
図１に示すように、本実施形態では、複数のタイムレコーダ１０が単体の管理装置５０に接続される。そしてタイムレコーダ１０から管理装置５０へ打刻情報１２３が送信される。タイムレコーダ１０から送信される打刻情報１２３には、タイムレコーダ１０を識別する識別情報が付加される。
【００３３】
管理装置５０とタイムレコーダ１０とを通信可能に接続する方法は限定されない。例えば、有線データ通信を用いたり、近距離無線通信を用いたりしてもよい。ＳＤカード（登録商標）やメモリスティック（登録商標）などの記録媒体を使用して打刻情報１２３を送信してもよい。データ通信のプロトコルにインターネット・プロトコル（ＩＰ）を用いてもよい。これらの接続は、常時維持されている必要はなく、打刻情報１２３を送る必要のあるときに管理者により接続されてもよい。
【００３４】
図２は、管理装置５０の内部構成を示すブロック図である。
図２に示すように、管理装置５０の内部には、ＣＰＵ（Central Processing Unit）５１とメモリ５２とインターフェイス部５４があり、これらがバス５３を介して相互に接続している。
【００３５】
インターフェイス部５４は、入出力に関わるユニットとＣＰＵ５１及びメモリ５２のような制御部とを接続するユニットである。インターフェイス部５４は、キーボード５５と、マウス５６と、モニタ５７と、プリンタ５８と、記録媒体接続部５９と、外部通信部６０といった入出力に関わるユニットと接続している。
【００３６】
キーボード５５とマウス５６は、管理者の操作入力を管理装置５０に入力する。モニタ５７は、制御部の情報処理結果を表示出力する。プリンタ５８は、制御部の情報処理結果を紙媒体に出力する。本実施形態において、プリンタ５８は、ＣＰＵ１１のラベル印字データ作成部５１１が作成したラベル印字データに基づいて、タイムカード３０のラベルシールを印刷する。
【００３７】
記録媒体接続部５９は、記録媒体の接続を可能にして、当該記録媒体からの情報の読み出し又は当該記録媒体への情報の書き出しを行う。外部通信部６０は、無線ローカルエリアネットワークへのアダプタなどで構成され、ＩＰネットワーク等への接続を可能にする。
【００３８】
メモリ５２は、ＲＯＭやＲＡＭ等から構成され、汎用ＰＣのＯＳ（不図示）のほか、管理用アプリ５２１、個人マスタ５２２、打刻情報５２３などを記憶する。管理用アプリ５２１は、タイムカードシステム１の管理用のアプリケーションソフトウェアであり、ラベル印字用アプリケーションソフトウェアの機能も備える。
【００３９】
ＣＰＵ５１は、メモリ５２に記憶されているソフトウェアを実行することで、種々の情報処理を行う。また、それにより、ＣＰＵ５１には、ラベル印字データ作成部５１１、個人マスタ管理部５１２、打刻情報管理部５１３を含む仮想的な機能ブロックが成立する。
【００４０】
なお、上記ソフトウェアは、例えば記録媒体を介してインストールされてもよいし、ネットワークを介してインストールされてもよい。
【００４１】
個人マスタ管理部５１２は、個人マスタ５２２の情報を管理する。打刻情報管理部５１３は、打刻情報５２３を管理する。個人マスタ５２２と打刻情報５２３については、タイムカード１０が有する個人マスタ１２２と打刻情報１２３に関する説明の箇所で説明する。
【００４２】
図３は、本実施形態に係るタイムレコーダ及びタイムカードの外観を示す図である。
図３Ａ及びＢに示すように、タイムレコーダ１０は、打刻部１６と、タッチパネル１７を有する。図３Ｃに示すように、タイムカード３０は、ＩＣチップ３１とアンテナコイル（不図示）を有する。
【００４３】
打刻部１６は、ＲＦＩＤ（Radio Frequency Identification）システムを利用し、ＩＣチップ３１とアンテナコイル（不図示）を有するタイムカード３０を近づけると、電磁誘導によりＩＣチップ３１内に格納されている情報を読み取る。本実施形態では、カード識別情報３１１を読み取る。カード識別情報３１１は、タイムカード３０それぞれに重複しないように設定されている情報である。
【００４４】
タッチパネル１７は、タイムレコーダ１００の表示機能（表示部、表示手段）とユーザ操作の入力機能（操作入力部、操作入力手段）を兼ね備える。なお、タイムレコーダ１０は、平置きの態様（図３Ａ）でも縦置きの態様（図３Ｂ）でも使用できる。タッチパネル１７は、タイムレコーダ１０が図３Ａの向きでも図３Ｂの向きでも使用可能なように、画面を回転させる機能を有している。
【００４５】
タイムカード３０は、プラスチック製のカードであり、内部にＩＣチップ３１とアンテナコイル（不図示）が埋め込まれている。タイムカード３０は、紙製のタイムカードよりも若干高コストになる場合がある。したがって、小規模事業所などでは人事異動や退職のたびに新しいタイムカード３０を購入するとコスト面での負担が大きい。そこで本実施形態ではタイムカード３０の再利用を認め、再利用をしても問題が生じないように、タイムレコーダ１０内の個人マスタ１２２や打刻情報１２３といったデータを書き換える。ただし、タイムカード３０は上記ＩＣチップ３１の代わりに磁気ストライプや磁気シートを用いた磁気カードであっても構わない。
【００４６】
図４は、タイムレコーダ１０の内部構成を示すブロック図である。
図４に示すように、タイムレコーダ１０の内部には、ＣＰＵ（Central Processing Unit）１１とメモリ１２とインターフェイス部１４があり、これらがバス１３を介して相互に接続している。
【００４７】
インターフェイス部１４は、入出力に関わるユニットとＣＰＵ１１及びメモリ１２のような制御部とを接続するユニットである。インターフェイス部１４は、時計部１５と、打刻部１６と、タッチパネル１７と、音声出力部１８と、記録媒体接続部１９と、外部通信部２０といった入出力に関わるユニットと接続している。
【００４８】
時計部１５は、水晶振動子などにより時刻情報を生成してＣＰＵ１１などに供給する。音声出力部１８は、ＣＰＵ１１の情報処理に応じてビープ音などを出力する。記録媒体接続部１９は、記録媒体の接続を可能にして、当該記録媒体からの情報の読み出し又は当該記録媒体への情報の書き出しを行う。外部通信部２０は、無線ローカルエリアネットワークへのアダプタなどで構成され、ＩＰネットワーク等への接続を可能にする。
【００４９】
メモリ１２は、ＲＯＭやＲＡＭ等から構成され、タイムレコーダ１０の組み込み制御ソフトウェア（不図示）のほか、設定情報１２１、個人マスタ１２２、打刻情報１２３などを記憶する。
【００５０】
ＣＰＵ１１は、メモリ１２に記憶されているソフトウェアを実行することで、後述する種々の情報処理を行う。また、それにより、ＣＰＵ１１には、カード切替判断部１１１、個人マスタ管理部１１２、打刻情報管理部１１３を含む仮想的な機能ブロックが成立する。
【００５１】
なお、上記ソフトウェアは、例えば記録媒体を介してインストールされてもよいし、ネットワークを介してインストールされてもよい。
【００５２】
次に、メモリ１２が記憶する情報について説明する。
【００５３】
設定情報１２１は、タイムレコーダ１０の運用に関する設定全般を有し、本実施形態では特に、一斉切替期間に関する設定情報を含む。この設定情報は、一斉切替期間設定の有効又は無効、有効である場合に期間の開始日、期間の長さ、といった情報を含む。
【００５４】
打刻情報１２３は、「出勤／退勤／外出／戻り」などのユーザのアクションと、そのアクションがなされた時刻を、カード識別情報ごとに蓄積させた情報である。打刻情報１２３は、カード識別情報に代えてユーザ識別情報ごとに蓄積させることとしてもよい。
【００５５】
個人マスタ１２２は、本実施形態では、ユニークユーザごとに、カード識別情報、ユーザ識別情報、その他の情報を記憶したマスタ情報である。図５にその一例を示す。なお、図５の例では、説明を簡略にするために、ユニークユーザの４人すべてがタイムカード３０を渡されているものとしている。
【００５６】
図５に示すように、各ユニークユーザはカード識別情報の一例としてカード識別子が割り当てられている。カード識別子は１６進数８桁の数字などで構成され、各タイムカード３０にユニークなものである。また、個人マスタ１２２は、ユーザごとに、システムから割り当てられている場合は当該ユーザのユーザ識別子を、システムに登録している場合は当該ユーザの氏名や愛称を、記憶する。ユーザ識別子、氏名、愛称は、ユーザ識別情報の一例である。
【００５７】
また、個人マスタ１２２は、ユーザごとに、カード発行日、カード更新日、切替済フラグ、確認済フラグを記憶する。カード発行日、カード更新日、切替済フラグは、後述する一斉切替期間中の打刻操作時の処理で利用される。確認済フラグは、ユーザ識別情報の正誤の確認処理において利用される。
【００５８】
管理装置５０が有する個人マスタ５２２は、各タイムレコーダ１０が記憶する個人マスタ１２２を収集し、名寄せして重複を除いたデータである。後述するユーザ識別情報の正誤の確認処理において、管理装置５０がタイムレコーダ１０のいずれかから、所定の確認済フラグの値とともにユーザ識別情報を受信すると、個人マスタ管理部５１２は当該ユーザ識別情報に係る個人マスタ５２２の一部を更新する。
【００５９】
管理装置５０が有する打刻情報５２３は、各タイムレコーダ１０が記憶する打刻情報１２３を収集し、集積したデータである。
【００６０】
次に、タイムレコーダ１０の運用モードについて説明する。
【００６１】
タイムレコーダ１０は、運用モードとして、少なくとも、通常モードと、管理者モードを有する。図６は、通常モードにおけるタッチパネル１７の表示例であり、図６Ａと図６Ｂは、それぞれ、待機画面例である。図６Ａと図６Ｂには、「出勤／退勤／外出／戻り」などのユーザのアクションを示すボタンと、時刻情報が示されている。この画面が表示されている状態で、ユーザが打刻部１６にタイムカード３０を近づけると、原則的に、打刻処理が行われ、例えば、図６Ｃに示すような画面が表示される。
【００６２】
図６に示したような待機画面において、管理者モードへの移行ボタン１７１のタッチ及び管理者のタイムカード３０の読み取りが行われると、タイムレコーダ１０のＣＰＵ１１は管理者モードへ移行する。なお、移行の手順については、この手順に限定されない。
【００６３】
管理者モードにおいて設定できる事項は、ビープ音の音量や画面の表示濃度などを含む。本実施形態は、一斉切替期間に関する設定を可能にしている。図７と図８は、管理者モードにおけるタッチパネル１７の表示例であり、その中でも特に、一斉切替期間に関する設定を行う管理者ユーザインターフェイスである。
【００６４】
図７Ａに示すように、タッチパネル１７は、「戻る」「確定」などの操作キー１７２のほかに、一斉切替期間を設定するか否かを決定させるトグルキー１７３を提供する。図７Ａに示す状態のとき、開始月日やその期間などの設定に関する個別設定キー１７４は、操作不能になっていてもよく、グレーアウトになっていてもよい。
【００６５】
管理者がトグルキー１７３を「あり」にした場合、図７Ｂのような表示に切り替わり、一斉切替期間が設定可能になる。本実施形態において、一斉切替期間は、複数指定が可能である。図示の例では、一斉切替期間を２回設定可能な構成である。
【００６６】
図７Ｂにおいて、管理者が個別設定キー１７４を選択すると、図８に示すような表示に切り替わる。図８Ａは開始月日の、図８Ｂは期間の設定画面例である。いずれもテンキー１７６でパラメータ１７７を設定可能に構成されている。タイムレコーダ１０のＣＰＵ１１は、これらの画面における管理者の入力に基づいて、一斉切替期間を設定する。
【００６７】
図７と図８の例示では、管理者がタイムレコーダ１０を直接操作する場合を説明したが、これらの設定内容は、管理装置５０からタイムレコーダ１０に送信されることによって、おのおののタイムレコーダ１０が自動的に設定するものとしてもよい。
【００６８】
本実施形態において、各ユーザは、一斉切替期間中、自分でタイムカード３０の使用者の切替の処理を、暫定的に行い、タイムレコーダシステム１は暫定的に切り替えられた情報を用いて仮運用をする。以下に、タイムレコーダ１０の情報処理の手順を示す。
【００６９】
［タイムレコーダの情報処理］
図９に、タイムレコーダ１０に対してユーザの打刻操作があった際の、ＣＰＵ１１の処理手順の概要を示す。
【００７０】
まず、ユーザの打刻操作があると、打刻部１６は、タイムカード３０からカード識別情報を読み取る（ステップＳ１０１）。続いて、ＣＰＵ１１及び個人マスタ管理部１１２は、読み取ったカード識別情報で個人マスタ１２２を検索する（ステップＳ１０２）。例えば、ＣＰＵ１１及び個人マスタ管理部１１２は、図５のカード識別子フィールドを、読み取ったカード識別情報をキーとして、検索する。
【００７１】
検索結果がない場合は（ステップＳ１０３／Ｎｏ）、当該タイムレコーダ１０で始めて使用されたタイムカード３０であるので、ＣＰＵ１１及び個人マスタ管理部１１２は、読み取ったカード識別情報で個人マスタ１２２の新しいエントリを新規作成する（ステップＳ１１２）。すなわち、図５に例示した個人マスタ１２２に新しい１行が加わる。
【００７２】
検索結果がある場合は（ステップＳ１０３／Ｙｅｓ）、ＣＰＵ１１は、時計部１５が供給する時刻情報と、設定情報１２１に基づいて、現在がカード一斉切替期間であるか否かを判断する（ステップＳ１０４）。一斉切替期間中でない場合は（ステップＳ１０４／Ｎｏ）、通常の打刻が行われる。すなわち、ＣＰＵ１１及び打刻部１６は、打刻情報１２３を生成し、タッチパネル１７は図６Ｃのような画面を表示する（ステップＳ１１３）。
【００７３】
一斉切替期間中である場合は（ステップＳ１０４／Ｙｅｓ）、ＣＰＵ１１及び個人マスタ管理部１１２は、読み取ったカード識別情報で個人マスタ１２２を読み込む（ステップＳ１０５）。ステップＳ１０２の検索でヒットした個人マスタ１２２を読み込む。
【００７４】
続いて、ＣＰＵ１１及びカード切替判断部１１１は、読み込んだ個人マスタ１２２に基づいて、これが切替済であるか否かを判断する（ステップＳ１０６）。ＣＰＵ１１及びカード切替判断部１１１は、切替済フラグ（図５）が０である場合に切替未了と判断し、１である場合に切替済と判断する。判断の態様はこれに限定されず、カード発行日とカード更新日に基づいて判断されてもよい。
【００７５】
個人マスタ１２２が切替済である場合は（ステップＳ１０６／Ｙｅｓ）、通常の打刻が行われる。個人マスタ１２２が切替済でない場合は（ステップＳ１０６／Ｎｏ）、ＣＰＵ１１及びタッチパネル１７は、切替要否選択画面を表示する（ステップＳ１０７）。図１０Ａに切替要否選択画面の一例を示す。
【００７６】
図１０Ａにおいて、タイムカード３０に係るカード識別情報とユーザ識別情報都の対応関係の切替が不要であるユーザ、つまり、継続利用のユーザは、「いいえ」を選択する。ユーザによる選択操作はタッチパネル１７により受け付けられ、ＣＰＵ１１等に操作入力が入力される。この場合、ＣＰＵ１１は、初回利用でないと判断し（ステップＳ１０８／Ｎｏ）、通常の打刻が行われる。
【００７７】
図１０Ａにおいて、タイムカード３０に係るカード識別情報とユーザ識別情報都の対応関係の切替が必要であるユーザは、「はい」を選択する。ユーザによる選択操作はタッチパネル１７により受け付けられ、ＣＰＵ１１等に操作入力が入力される。この場合、ＣＰＵ１１は、初回利用であると判断し（ステップＳ１０８／Ｙｅｓ）、図１０Ｂに示すような切替実行確認画面を表示する（ステップＳ１０９）。
【００７８】
図１０Ｂに示すように、タッチパネル１７は、切替実行確認の入力をユーザに促す。ユーザが「はい」を選択すると、ユーザによる確定選択操作はタッチパネル１７により受け付けられ、ＣＰＵ１１等に操作入力が入力される。この場合、ＣＰＵ１１は、切替実行が指示されたと判断する（ステップＳ１１０／Ｙｅｓ）。
【００７９】
切替実行が指示されると、ＣＰＵ１１及び個人マスタ管理部１１２は、当該カード識別情報（Ｓ１０２で読み取ったもの）に対応する個人マスタ１２２を削除する（ステップＳ１１１）。また、ＣＰＵ１１及び打刻情報管理部１１３は、当該カード識別情報に対応する打刻情報１２３を削除する（ステップＳ１１１）。
【００８０】
続いて、ＣＰＵ１１及び個人マスタ管理部１１２は、当該カード識別情報で新たな個人マスタを作成する（ステップＳ１１２）。
【００８１】
続いて、ＣＰＵ１１及び打刻部１６は、打刻情報１２３を生成し、タッチパネル１７は図６Ｃのような画面を表示する（ステップＳ１１３）。
【００８２】
タイムレコーダ１０は、上述のような情報処理を行うことによって、設定した一斉切替期間内に打刻したユーザに対して「はい／いいえ」形式で、タイムカード３０の使用者の変更がないかを確認させる。これにより、タイムカード３０の使用者を手軽に変更した上で、仮運用させることが可能になる。これは、管理装置５０で管理者が全カード使用者の切替作業を行い、切替後のデータを各タイムレコーダ１０に反映させるよりも、管理者の手間が軽減する。すなわち、切替作業の管理者への集中を避けることができる。
【００８３】
また、タイムレコーダ１０は、カード識別情報とユーザ識別情報都の対応関係の一斉切替期間における、初回打刻操作の場合に、初めてカードを使用するか（切替が必要か）、あるいは継続利用か（切替が不要か）を選択させるポップアップを表示する（ステップＳ１０７、図１０Ａ）。初回利用であり切替が必要であることを、タイムカード３０の使用者であるユーザ自身に選択させてはじめて、タイムレコーダ１０は、切替作業（ステップＳ１１１、Ｓ１１２）を行う。これにより、円滑に仮運用を開始することができる。
【００８４】
また、タイムレコーダ１０は、カード識別情報とユーザ識別情報都の対応関係の一斉切替期間における初回打刻操作の際、切替要否確認画面を表示し、切替要が選択された場合に、読み込まれたカード識別情報に対応する以前のユーザの個人マスタ１２２と打刻情報１２３を削除する（ステップＳ１１１）。また、タイムレコーダ１０は、新しいユーザに対応する個人マスタ１２２と打刻情報１２３を新たに作成する（ステップＳ１１２）。
【００８５】
そのため、前ユーザの個人マスタ１２２に係る氏名等個人情報や勤怠履歴に係る打刻情報１２３がタイムレコーダ１０側で削除される。これにより、例えば打刻情報の照会操作などで前ユーザと現ユーザの情報の混在した情報が提示されるといった不具合が生じない。また、個人情報も保護される。
【００８６】
また、タイムレコーダ１０は、ユーザ識別情報の一つとして、「愛称」を有し、仮運用開始時にユーザに愛称の入力を促す（図５、ステップＳ１１０、図１０Ｂ）。ＣＰＵ１１は、ユーザによる打刻操作の際、この愛称を、氏名等に代えてタッチパネル１７に表示させてもよい。この場合、タッチパネル１７の表示画面を第三者に盗み見られたとしても個人情報の漏洩につながりにくくなる。
【００８７】
この場合、管理者は、タイムカード３０のカードラベルとして「愛称」を印字したシールを作成し、各ユーザに配布することにしてもよい。ユーザは、当該シールをタイムカード３０に貼り付けて使用してもよく、この場合、フルネームではなく愛称が表示されるため、個人情報の漏洩につながりにくくなる。
【００８８】
［ユーザ識別情報の正誤の確認］
本実施形態に係るタイムレコーダシステム１において、管理者は、仮運用の前後で、管理装置５０において切替作業を行ってもよく、一斉切替期間経過後、本番運用の前に、当該切替作業の一つとして、ユーザ識別情報の正誤の確認をしてもよい。ただし、「一斉切替期間経過後、本番運用の前」というのは、ユーザ識別情報の正誤の確認をするタイミングの典型例の一つを例示したに過ぎず、その他のタイミングでもよい。
【００８９】
図１１に、ユーザ識別情報の正誤の確認をするための、管理装置５０及び１以上のタイムレコーダ１０のいずれか１つの情報処理の手順を示すフローチャートを示す。また、図１２に、ユーザ識別情報の遷移例を示す。なお、図１２は図５に示した具体例に基づいている。
【００９０】
図１１において、タイムレコーダ１０は、複数あるうちのいずれか１つでよい。
この場合、管理装置５０のＣＰＵ５１は、管理者の操作に応じて、各タイムレコーダ１０に、個人マスタ５２２に含まれる情報の一部を配布する（ステップＳ２０１）。
【００９１】
なお、管理装置５０のＣＰＵ５１が配布する情報は、送信先のタイムレコーダ１０が有する個人マスタ１２２である。この個人マスタ１２２のうち、カード識別情報とユーザとの対応関係に変更があった情報については、０又はヌル値ではない値がセットされた切替済フラグが付加される。
【００９２】
図１２Ａを参照すると、あるタイムレコーダ１０に配布された個人マスタ１２２の一例が示されている。図１２Ａに示す個人マスタにおいて、図５でユーザ識別情報に欠けているところがあった「ＵＳＲ１０１０」と「ＵＳＲ１０１１」は、ユーザ識別子と氏名が補完されている。管理装置５０による個人マスタ５２２に含まれる情報の一部の配布により、これらの情報が各タイムレコーダ１０に記憶される個人マスタ１２２に補完される。
【００９３】
タイムレコーダ１０は、配布された個人マスタ１２２を受信し、カード識別情報（カード識別子）やユーザ識別子が一致する個人マスタ１２２の情報を更新する（ステップＳ２０２）。それと同時に、当該個人マスタ１２２に係る確認済フラグを０にセットする（ステップＳ２０３）。
【００９４】
次に、タイムレコーダ１０は、ユーザ識別情報に更新があったユーザ、あるいは、確認済フラグが０にセットされているユーザの打刻操作を待つ。ＣＰＵ１１は、そのようなユーザの打刻操作があった場合に（ステップＳ２０４／Ｙｅｓ）、確認済フラグが０か否かを判断する（ステップＳ２０５）。確認済フラグが０でなければ、ＣＰＵ１１は処理を終了する。０であれば、ＣＰＵ１１は、配布された個人マスタ１２２の情報の正誤をユーザに確認させるための確認画面（不図示）を生成し、これをタッチパネル１７に表示する（ステップＳ２０６）。
【００９５】
なお、打刻操作があった場合（ステップＳ２０４／Ｙｅｓ）、タイムレコーダ１０は、図９に示す通常の打刻処理も実行する。この通常の打刻処理においては、既に述べたように、当該打刻操作が行われた時期が既にカード一斉切替期間を過ぎていたり（ステップＳ１０４／Ｎｏ）、カード発行日やカード更新日、あるいは切替済フラグを参照することによって個人マスタが切替済であると判断されたり（ステップＳ１０６／Ｙｅｓ）する。ＣＰＵ１１は、図１１に示すユーザ識別情報の正誤の確認処理を、図９に示す打刻処理に対して並列的に実行する。
【００９６】
確認画面表示の処理（ステップＳ２０６）について説明を続ける。
配布された個人マスタ１２２の情報の正誤をユーザに確認させるための確認画面は、図１０に示したようなポップアップを表示し、修正があるか否かを「はい／いいえ」でユーザに答えさせるものでよい。この場合、「はい」が選択されると修正入力画面（不図示）に遷移する。修正入力画面は、氏名等のユーザ識別情報を表示し、誤りがある場合にタップするなどの操作入力に応じて修正可能に構成される。
【００９７】
ステップＳ２０６において、修正があることも修正がないことも確認できない場合（例えばユーザ操作入力のタイムアウト）、ＣＰＵ１１は確認済としない。その場合（ステップＳ２０７／Ｎｏ）、何もせず、当該ユーザによる次の打刻操作を待つ（ステップＳ２０４）。
【００９８】
確認済みとされた場合（ステップＳ２０７／Ｙｅｓ）、ＣＰＵ１１は、確認された個人マスタ１２２の確認済フラグを１又は２にセットする（ステップＳ２０８）。ステップＳ２０８における「確認済み」には、修正がない場合と修正がある場合の両方を含む。ＣＰＵ１１は、修正がない場合、確認済フラグを１にセットし、修正がある場合、２にセットする。
【００９９】
図１２Ｂを参照すると、ユーザによる個人マスタ１２２の情報の確認が行われた後の、個人マスタ１２２のデータ例が示されている。図１２Ａと図１２Ｂを比較すると、「ＵＳＲ１０１０」と「ＵＳＲ１０１１」の確認済フラグが、両者とも１にセットされている。
【０１００】
これはつまり、ＣＰＵ１１が、「ＵＳＲ１０１０」に係るユーザの打刻操作後のステップＳ２０８において確認済みフラグを１にセットし、これとは別のタイミングで、「ＵＳＲ１０１１」に係るユーザの打刻操作後のステップＳ２０８において確認済みフラグを１にセットしたことを示す。仮に氏名等情報に誤りがあってユーザによって情報が修正された場合は、確認済フラグには２がセットされる。図１２Ｂの例では修正がない場合を示した。
【０１０１】
次に、タイムレコーダ１０のＣＰＵ１１は、ユーザによりユーザ識別情報が確認された旨を示す確認済フラグと、ユーザ識別情報に変更がある場合は当該変更に係る情報とを管理装置５０に送信する（ステップＳ２０９）。例えば、氏名に誤りがあることをユーザが発見し、訂正した氏名が入力された場合は、訂正後の氏名の情報もこのステップで管理装置５０に送信される。
【０１０２】
ＣＰＵ５１及び個人マスタ管理部５１２は、受信した情報に基づいて、個人マスタ５２２を更新する（ステップＳ２１０）。ＣＰＵ５１及び個人マスタ管理部５１２は、タイムレコーダ１０から受信した情報に含まれる確認済フラグに２がセットされていた場合、同じく受信した情報に含まれる変更に係る情報を用いて、個人マスタ５２２を更新する。
【０１０３】
次に、ＣＰＵ５１は、１又は２にセットされた確認済フラグを、各タイムレコーダ１０に配布する（ステップＳ２１１）。タイムレコーダ１０は、ユーザ識別情報あるいはカード識別情報と共に１にセットされた確認済フラグが管理装置５０から送信されてきた場合は、当該ユーザ識別情報あるいは当該カード識別情報に係る確認済フラグを１にセットする（不図示）。
【０１０４】
タイムレコーダ１０は、ユーザ識別情報あるいはカード識別情報と共に２にセットされた確認済フラグが管理装置５０から送信されてきた場合は、当該ユーザ識別情報あるいは当該カード識別情報に係る確認済フラグを１にセットすると共に、ユーザ識別情報など修正がある部分を受信した情報で修正する（不図示）。
【０１０５】
なお、ステップＳ２１１の確認済フラグの配布先は、ステップＳ２０９で確認済の旨を送信したタイムレコーダ１０を除いてもよい。
【０１０６】
上述したユーザ識別情報の正誤の確認処理によれば、重要な個人のマスタ情報を管理者とユーザの双方で確認されることになり、これにより、運用ミスを防ぐことができる。
【０１０７】
また、上述したユーザ識別情報の正誤の確認処理によれば、タイムカード３０のカード識別情報とそのユーザとの対応関係に変更があった場合には管理装置５０が切替済フラグをセットして各タイムレコーダ１０に配布し（ステップＳ２０１）、それがユーザの打刻操作に引き続いて実行される打刻処理においては「切替要否選択画面」の表示を抑制するために用いられる（ステップＳ１０６）。
【０１０８】
そのため、一度、切替要否選択画面が表示され、要否選択がなされた後は、管理装置配下の複数のタイムレコーダ間で、切替情報が同期されるので、あるタイムレコーダで切替要否選択画面が表示された後にユーザが別のタイムレコーダで打刻した際に再度切替要否選択画面が表示されてしまいユーザが煩わしさを感じるのを防ぐことができ、利便性が向上する。
【０１０９】
なお、管理装置５０からの切替済フラグの配布を管理者の手動によらず、管理装置５０のＣＰＵ５１が自動的に実行するように構成した場合、上記効果はさらに有効である。タイムレコーダ１０がステップＳ１１２の個人マスタ新規作成を実行した場合、その直後などにＣＰＵ１１が非ヌル値の切替済フラグを管理装置５０に送信し、これを受信した管理装置５０が非ヌル値の切替済フラグを他のタイムレコーダ１０に直ちに送信するようにしてもよく、その場合、上記効果はさらに有効である。
【０１１０】
［変形例］
以上、実施形態を参照して本発明を説明したが、本発明は上記実施形態に限定されものではない。
【０１１１】
例えば、ステップＳ１０７で表示される切替要否選択画面は、図１０Ａに示したものに限定されず、図１３Ａに示すものでもよい。この場合、図１３Ａにおいて、タイムカード３０に係るカード識別情報とユーザ識別情報都の対応関係の切替が不要であるユーザ、つまり、継続利用のユーザは、「切替が不要」を選択する。ユーザによる選択操作はタッチパネル１７により受け付けられ、ＣＰＵ１１等に操作入力が入力される。この場合、ＣＰＵ１１は、初回利用でないと判断し（ステップＳ１０８／Ｎｏ）、通常の打刻が行われる。
【０１１２】
図１３Ａにおいて、タイムカード３０に係るカード識別情報とユーザ識別情報都の対応関係の切替が必要であるユーザは、「切替が必要」を選択する。ユーザによる選択操作はタッチパネル１７により受け付けられ、ＣＰＵ１１等に操作入力が入力される。この場合、ＣＰＵ１１は、初回利用であると判断し（ステップＳ１０８／Ｙｅｓ）、図１０Ｂに示すような切替実行確認画面を表示する（ステップＳ１０９）。
【０１１３】
また、ステップＳ１０９で表示される切替実行確認画面は、図１０Ｂに示したものに限定されず、図１３Ｂに示すものでもよい。この場合、図１３Ｂに示すように、タッチパネル１７は、仮運用期間中に用いる名前の入力をユーザに促す。ユーザが確定キーをタッチすると、ユーザによる確定選択操作はタッチパネル１７により受け付けられ、ＣＰＵ１１等に操作入力が入力される。この場合、ＣＰＵ１１は、切替実行が指示されたと判断する（ステップＳ１１０／Ｙｅｓ）。
【０１１４】
切替実行が指示されると、ＣＰＵ１１及び個人マスタ管理部１１２は、当該カード識別情報（Ｓ１０２で読み取ったもの）に対応する個人マスタ１２２を削除する（ステップＳ１１１）。また、ＣＰＵ１１及び打刻情報管理部１１３は、当該カード識別情報に対応する打刻情報１２３を削除する（ステップＳ１１１）。
【０１１５】
続いて、ＣＰＵ１１及び個人マスタ管理部１１２は、当該カード識別情報で新たな個人マスタを作成する（ステップＳ１１２）。なお、新品のタイムカード３０が支給されたユーザに対しては、ここで仮運用設定にかかる画面（図１３Ｂ）を提示してもよい。
【０１１６】
また、上述の実施形態においては、切替要否選択画面において切替要が選択され切替実行が指示されると、ＣＰＵ１１及び個人マスタ管理部１１２は、当該カード識別情報に対応する個人マスタ１２２を削除し、ＣＰＵ１１及び打刻情報管理部１１３は、当該カード識別情報に対応する打刻情報１２３を削除したが、これらの個人マスタ１２２及び打刻情報１２３は、切替前後のユーザ毎に明確に区別されていれば、削除されずに記憶されたままであってもよい。
【０１１７】
なお、上述の実施形態においては、ユーザ及び管理者が企業である場合の例を示しているが、これ以外にも、例えば、保育所において本タイムレコーダシステム１を運用してもよい。
【０１１８】
上述の変形例のほかにも、本発明の構成や詳細に対しては、本発明のスコープ内で当業者が理解し得る様々な変更をすることができる。また、それぞれの実施形態に含まれる別々の特徴を如何様に組み合わせたシステムまたは装置も、本発明の範疇に含まれる。なお、実施形態に開示した構成はすべて組み合わせて実施することが可能である。
【０１１９】
また、本発明は、複数の機器から構成されるシステムに適用されてもよいし、単体の装置に適用されてもよい。さらに、本発明は、実施形態の機能を実現する情報処理プログラムが、システムあるいは装置に直接あるいは遠隔から供給される場合にも適用可能である。したがって、本発明の機能をコンピュータで実現するために、コンピュータにインストールされるプログラム、あるいはそのプログラムを格納した媒体、そのプログラムをダウンロードさせるネットワーク上のサーバも、本発明の範疇に含まれる。
【産業上の利用可能性】
【０１２０】
本発明の技術は、特に正社員以外のパートタイマー、アルバイト等の就業者が多い小規模なオフィスや店舗の出退勤や、保育園や託児所といった施設での入登園など、利用者の入れ代わりが多い業種・業態において、打刻操作を管理するための就業管理装置及び就業管理システムとして好適に利用することができる。
【符号の説明】
【０１２１】
１…タイムレコーダシステム
１０…タイムレコーダ
１１…ＣＰＵ
１１１…カード切替判断部
１１２…個人マスタ管理部
１１３…打刻情報管理部
１２…メモリ
１２１…設定情報
１２２…個人マスタ
１２３…打刻情報
１６…打刻部
１７…タッチパネル
２０…外部通信部
【図１】
2019101852.tif 000003
【図２】
2019101852.tif 000004
【図３】
2019101852.tif 000005
【図４】
2019101852.tif 000006
【図５】
2019101852.tif 000007
【図６】
2019101852.tif 000008
【図７】
2019101852.tif 000009
【図８】
2019101852.tif 000010
【図９】
2019101852.tif 000011
【図１０】
2019101852.tif 000012
【図１１】
2019101852.tif 000013
【図１２】
2019101852.tif 000014
【図１３】
2019101852.tif 000015